(57)【要約】【課題】固定受信機向け放送の番組と同じ移動体受信機向け放送の番組を確実に録画できるようにする。【解決手段】番組録画装置は、地上デジタル放送で送信される移動体受信機を対象とする移動体受信機向け放送が固定受信機を対象とする固定受信機向け放送のサイマル放送であるか否かの判定を行う判定手段と、判定手段によって、移動体受信機向け放送が固定受信機向け放送のサイマル放送であると判定されたときに、固定受信機向け放送の番組データと移動体受信機向け放送の番組データとを、番組データを記録する記録手段に記録させる番組録画制御手段とを有する番組録画装置とを有している。【選択図】図１
2009246443.tif 000002
【特許請求の範囲】
【請求項１】
地上デジタル放送で送信される移動体受信機を対象とする移動体受信機向け放送が固定受信機を対象とする固定受信機向け放送のサイマル放送であるか否かの判定を行う判定手段と、
前記判定手段によって、前記移動体受信機向け放送が前記固定受信機向け放送のサイマル放送であると判定されたときに、前記固定受信機向け放送の番組データと前記移動体受信機向け放送の番組データとを、番組データを記録する記録手段に記録させる番組録画制御手段とを有することを特徴とする番組録画装置。
【請求項２】
前記番組録画制御手段は、前記判定手段によって前記移動体受信機向け放送が前記固定受信機向け放送のサイマル放送ではないと判定されたときは、前記固定受信機向け放送の番組データだけを前記記録手段に記録させることを特徴とする請求項１記載の番組録画装置。
【請求項３】
前記判定手段によって前記サイマル放送であると判定された前記移動体受信機向け放送の番組データの、前記固定受信機向け放送の番組データへの関連付けを行う関連付け手段を更に有し、
前記番組録画制御手段は、前記関連付け手段によって関連付けられた番組データを前記記録手段に記録させることを特徴とする請求項２記載の番組録画装置。
【請求項４】
前記関連付け手段は、前記固定受信機向け放送の番組データを前記記録手段に記録させるための固定受信機用ファイルと、前記移動体受信機向け放送の番組データを前記記録手段に記録させるための移動受信機用ファイルとに、ファイル名本体とファイルの種類を識別するための識別用文字列とを備えたファイル名を付し、前記固定受信機用ファイルのファイル名と、前記移動受信機用ファイルのファイル名とを、前記ファイル名本体を一致させかつ前記識別用文字列を異ならせることによって前記関連付けを行うことを特徴とする請求項３記載の番組録画装置。
【請求項５】
前記関連付け手段は、前記固定受信機用ファイルの前記識別用文字列を前記固定受信機向け放送固有の文字列とし、前記移動受信機用ファイルの前記識別用文字列を前記移動体受信機向け放送固有の文字列とすることを特徴とする請求項４記載の番組録画装置。
【請求項６】
前記関連付け手段によって関連付けられた前記移動体受信機向け放送の番組データが記録されているか否かを示す管理データを前記記録手段に記録させる管理データ記録制御手段を更に有する請求項５記載の番組録画装置。
【請求項７】
前記固定受信機向け放送の番組の映像を表示する映像表示手段を更に有する請求項１記載の番組録画装置。
【請求項８】
前記移動体受信機向け放送の番組データよりも前記固定受信機向け放送の番組データを優先して削除させる削除制御手段を更に有する請求項１記載の番組録画装置。
【請求項９】
前記判定手段は、１つのチャンネルを複数のセグメントに分割したうちの前記セグメントの１つを用いる１セグメント放送が、前記複数のセグメントのうちの１２セグメントを用いる１２セグメント放送のサイマル放送であるか否かの判定を行うことを特徴とする請求項１記載の番組録画装置。
【発明の詳細な説明】
【技術分野】
【０００１】
本発明は、地上デジタル放送で送信される番組データを記録するための番組録画装置に関する。
【背景技術】
【０００２】
近年、地上デジタル放送や、ＢＳ（Broadcasting  Satellite）放送、１１０度ＣＳ（Communication  Satellite）放送といった衛星デジタル放送が実用化されていることに伴い、デジタル放送で送信される番組データを記録する番組録画装置が普及している。
【０００３】
ところで、地上デジタル放送では、日本国内においては、１つのチャンネルを１３のセグメント（ｓｅｇ）に分割している。これにより、セグメント単位で帯域を利用できるようになっている。そして、多チャンネル放送では、１セグメント（チャンネル）を使った移動体受信機向けの放送（以下「１セグメント放送」といい、１ｓｅｇ（ワンセグ）ともいう）を行い、残りの１２セグメントを使った固定受信機向けの１チャンネルのハイビジョン放送あるいは標準画質（ＳＤＴＶ）での３チャンネル放送を行うことができるようになっている。
【０００４】
従来、デジタル放送で送信される番組データを記録する番組録画装置に関して、例えば特許文献１には、次のような番組録画装置が開示されている。この番組録画装置は、受信した番組データから移動体受信機向け放送の番組の番組データ（移動機用番組データ）と、固定受信機向け放送の番組の番組データ（固定機用番組データ）とを分離して、双方の番組データを同時に記録媒体に記録できるようにしている。
【特許文献１】特開２００７−２５１８０３号公報
【発明の開示】
【発明が解決しようとする課題】
【０００５】
しかし、前述した従来技術のように受信した番組データから移動機用番組データと固定機用番組データとを分離して、双方の番組データを記録媒体に記録しても、記録された２つの番組データが必ずしも同じ番組の番組データになるとは限らない。そのため、従来技術では、移動体受信機により、移動機用番組データを用いて番組を再生したときに、固定受信機向け放送の番組と同じ番組を再生できない場合があった。
【０００６】
そこで、本発明は上記課題を解決するためになされたもので、固定受信機向け放送の番組と同じ移動体受信機向け放送の番組を確実に録画できるようにした番組録画装置を提供することを目的とする。
【課題を解決するための手段】
【０００７】
上記課題を解決するため、本発明は、地上デジタル放送で送信される移動体受信機を対象とする移動体受信機向け放送が固定受信機を対象とする固定受信機向け放送のサイマル放送であるか否かの判定を行う判定手段と、判定手段によって、移動体受信機向け放送が固定受信機向け放送のサイマル放送であると判定されたときに、固定受信機向け放送の番組データと移動体受信機向け放送の番組データとを、番組データを記録する記録手段に記録させる番組録画制御手段とを有する番組録画装置を特徴とする。
【発明の効果】
【０００８】
以上詳述したように、本発明によれば、固定受信機向け放送の番組と同じ移動体受信機向け放送の番組を確実に録画できるようにした番組録画装置が得られる。
【発明を実施するための最良の形態】
【０００９】
以下、本発明の実施の形態について説明する。なお、同一要素には同一符号を用い、重複する説明は省略する。
【００１０】
図１は本発明の実施の形態に係る番組録画装置１００の構成を示すブロック図である。本実施の形態に係る番組録画装置１００は、地上デジタル放送の番組の映像を表示する映像表示手段と、その番組の録画を制御する番組録画制御手段とを備えた据え置き型の固定受信機である。
【００１１】
なお、本実施の形態に係る番組録画装置１００は、移動体受信機向け放送である１セグメント放送の番組を受信し、固定受信機向け放送である１２セグメント放送の番組を受信するようになっている。
【００１２】
図１に示すように、番組録画装置１００は、第１、第２のデジタルチューナ１０１、１０２と、第１、第２のＯＦＤＭ（Orthogonal  Frequency  Division  Multiplexing）復調回路１０３、１０４と、第１、第２の復号回路１０５，１０６と、ＯＳＤ回路１０７とを有している。
【００１３】
また、番組録画装置１００は、Ｄ／Ａコンバータ１０８と、ＬＣＤ（Liquid  Crystal  Display）１０９と、スイッチ（ＳＷ）１１０と、メモリ１１１とを有している。
【００１４】
さらに、番組録画装置１００は、ＣＰＵ１１２と、ＨＤＤ１１３と、ＵＳＢ（Universal  Serial  Bus）ポート１１４、カードスロット１１５、ＥＰＧデコード部１１６、通信Ｉ／Ｆ１１７およびＬＡＮ端子１１８を有している。
【００１５】
第１、第２のデジタルチューナ１０１、１０２は、地上デジタル放送用のアンテナＡＴが受け取った放送波が供給される。そして、デジタルチューナ１０１，１０２はそれぞれアンテナＡＴから供給される放送波から、指定されたチャンネルに対応する所定周波数の信号成分を選択して受信する受信処理を行い、第１、第２の復調回路１０３、１０４に出力する。
【００１６】
ここで、第１のデジタルチューナ１０１は１２セグメント放送の放送波を受信する受信手段、第２のチューナ１０２は１セグメント放送の放送波を受信する受信手段である。また、１２セグメント放送とは、１つのチャンネルを複数のセグメント（１３のセグメント）に分割したうちの１２セグメントを用いる地上デジタル放送、１セグメント放送とは、１つのセグメントを用いる地上デジタル放送である。
【００１７】
第１、第２のＯＦＤＭ復調回路１０３、１０４は、それぞれ第１、第２のデジタルチューナ１０１、１０２によって抽出された信号成分について、所定の復調処理を施し、さらに誤り訂正等の処理を施して、それぞれ番組データ（詳しくはトランスポートストリーム：Transport  Stream）を生成する。生成される番組データ（トランスポートストリーム）はそれぞれ第１、第２の復号回路１０５，１０６に入力される。
【００１８】
第１、第２の復号回路１０５，１０６は、それぞれ入力されるトランスポートストリームに復号化処理を施してデジタル映像信号およびデジタル音声信号を生成する。ここで、第１の復号回路１０５は１２セグメント放送用、第２の復号回路１０６は１セグメント放送用である。
【００１９】
ＯＳＤ回路１０７は、入力されるデジタル映像信号について、ＯＳＤ（On  Screen  Display）信号を重畳して、Ｄ／Ａコンバータ１０８に出力する。このＯＳＤ信号は、ＣＰＵ１１２が生成している。
【００２０】
Ｄ／Ａコンバータ１０８は、入力されるデジタル映像信号をアナログ映像信号に変換して出力する。ＬＣＤパネル１０９は、アナログ映像信号を用いて視聴中の番組の映像を表示する映像表示手段である。
【００２１】
そして、スイッチ１１０は各種の操作スイッチを有し、メモリ１１１はＲＡＭ、ＲＯＭなどを有している。ＲＯＭには、制御プログラムやＣＰＵ１１２が実行するプログラムが書き込まれている。ＲＡＭは、ＣＰＵ１１２によるプログラムの実行に必要なワークエリアを提供し得るようになっている。
【００２２】
ＣＰＵ１１２は、メモリ１１１に記憶されている制御プログラムに従い上述の各モジュールを制御して、映像表示や音声出力などを統括する。また、ＣＰＵ１１２は、後述する番組録画プログラムにしたがい作動して、後述するモバイル向け番組の同時録画を制御する番組録画制御手段としての機能を有している。ＣＰＵ１１２は、モバイル向け番組の同時録画を行う場合、第１、第２のＯＦＤＭ復調回路１０３、１０４によって復調された番組データを用いる。
【００２３】
ＨＤＤ（Hard  Disk  Drive）１１３は、第１、第２のＯＦＤＭ復調回路１０３、１０４によって復調されたデータを地上デジタル放送の番組データとして記録する記録手段としての機能を有している。
【００２４】
ＵＳＢポート１１４は、ＵＳＢケーブル２０３のコネクタを接続することができる。ＵＳＢポート１１４には、ＵＳＢケーブル２０３を介してＵＳＢ接続用のＨＤＤ２０１が接続される。
【００２５】
カードスロット１１５は、ＳＤメモリカード（Secure  Digital  memory  card）などのメモリカード２０２が差込まれ、その差込まれたメモリカード２０２に対するデータの読み書きを行う。メモリカード２０２には、携帯端末装置２５０向けの番組データなどが記録される。
【００２６】
携帯端末装置２５０は、移動体受信機であって、例えば地上デジタル放送の番組を視聴可能な携帯電話機、ＰＤＡ（Personal  Digital  Assistants）、携帯音楽プレーヤなどである。
【００２７】
ＥＰＧデコード部１１６は、第１、第２のＯＦＤＭ復調回路１０３、１０４によって復調された番組データから、重畳されている後述するＥＰＧデータを分離抽出する。
【００２８】
通信Ｉ／Ｆ１１７は、ＬＡＮ端子１１８に接続される装置（例えばＬＡＮ対応のＨＤＤ２０２）との情報伝送を行う。
【００２９】
ＬＡＮ端子１１８は、イーサネットを用いた一般的なＬＡＮ対応ポートとして使用される。ＬＡＮ端子１１８は、ＬＡＮ対応の外付けＨＤＤ２０４等の機器が接続され、これらの機器と情報伝送を行うために使用される。
【００３０】
次に、以上の構成を有する番組録画装置１００におけるモバイル向け番組の同時録画について、図２，３を参照して説明する。図２はＣＰＵ１１２による番組録画プログラムにしたがったモバイル向け番組の同時録画処理の動作手順を示すフローチャート、図３は別の同時録画処理の動作手順を示すフローチャートである。ＣＰＵ１１２は図２または図３に示すフローチャートに沿った動作を実行することによって、モバイル向け番組の同時録画処理を実行する。
【００３１】
ここで、番組録画装置１００におけるモバイル向け番組の同時録画とは、１セグメント放送が１２セグメント放送のサイマル放送であるときに、その１２セグメント放送の番組の番組データ（以下「１２セグ番組データ」という）に加えて、その１セグメント放送の番組の番組データ（以下「１セグ番組データ」という）を同時にＨＤＤ１１３に記録することによって、携帯端末装置２５０向けに番組を録画することを意味している。
【００３２】
ＣＰＵ１１２はスイッチ１１０に備えられたスイッチや後述するリモコン４００を用いた所定の操作によって、地上デジタル放送の番組の録画を実行するように指示されたときに図２または図３に示すフローチャートに沿って同時録画処理を実行する。
【００３３】
ＣＰＵ１１２は同時録画処理を開始すると、ＥＰＧデコード部１１６から取得される１セグメント放送のＥＰＧ（Electronic  Program  Guide）データと、１２セグメント放送のＥＰＧデータとを参照する（Ｓ１）。
【００３４】
ここで、ＥＰＧデータは電子的な番組情報である。番組録画装置１００は後述するＳＩを放送信号から分離し、そのＳＩに含まれるＥＰＧデータを用いることにより、ＬＣＤ１０９に例えば図１４に示すような電子番組表１２０を表示することができる。
【００３５】
デジタル放送では、ＥＰＧデータがサービス情報（ＳＩ：service information）として放送信号に重畳されている。ＳＩには、デジタル放送の番組を視聴するために必要な情報や、ＥＩＴ（Event  Information  Table）があり、ＥＩＴ中にＥＰＧデータが含まれている。
【００３６】
ＥＰＧデータには、例えば、番組名（番組のタイトル）、番組のジャンル、番組開始時刻、番組終了時刻、番組内容のデータなどが含まれている。後述するＳ２では、番組名のデータを比較することによって、１セグメント放送が１２セグメント放送のサイマル放送であるか否かを判定することができる。
【００３７】
次に、ＣＰＵ１１２は、１セグメント放送のＥＰＧデータと１２セグメント放送のＥＰＧデータとを比較して判定手段としての動作を行い、１セグメント放送が１２セグメント放送のサイマル放送であるか否かのサイマル判定を行う（Ｓ２）。
【００３８】
例えば、上述のとおり、ＣＰＵ１１２は、少なくとも番組名のデータの比較結果に基づいて、サイマル判定を行えばよいが、番組名、番組のジャンル、または放送時間の少なくとも１つに基づいて判定してもよい。番組名、番組のジャンル、放送時間の３つが一致するときは、サイマル放送である確率が高くなるため、番組名、番組のジャンル、放送時間の３つを用いると、サイマル判定を正確に行える。この場合、ＣＰＵ１１２は、番組名などが完全一致の場合にサイマル放送であると判定すればよいが、完全一致でなく、例えば類似度９０％以上の部分一致の場合にサイマル放送であると判定してもよい。
【００３９】
そして、ＣＰＵ１１２は、１セグメント放送が１２セグメント放送のサイマル放送であると判定したときはＳ３に進むが、１セグメント放送が１２セグメント放送のサイマル放送ではないと判定したときはＳ４に進む。
【００４０】
ＣＰＵ１１２は、Ｓ３に進むと同時録画処理を行い、１２セグ番組データと、その１２セグメント放送のサイマル放送であると判定された１セグ番組データとをともにＨＤＤ１１３に記録させる。ここでは、１２セグ番組データと１セグ番組データとを同時にＨＤＤ１１３に記録しているが、例えば、記録開始時刻を同時にするほか、１セグ番組データの記録開始時刻を１２セグ番組データよりも少し遅らせ、記録終了時刻が同じになるようにしてＨＤＤ１１３に記録してもよい。
【００４１】
ＣＰＵ１１２は、Ｓ４に進むときは単独録画処理を行い、１２セグ番組データだけをＨＤＤ１１３に記録させる。ＣＰＵ１１２は、Ｓ３またはＳ４を実行すると、モバイル向け番組の同時録画処理を終了する。
【００４２】
番組録画装置１００が以上のようにしてモバイル向け番組の同時録画処理を実行することによって、１セグメント放送が１２セグメント放送のサイマル放送であるときは、１２セグ番組データと、そのサイマル放送の１セグ番組データとが自動的にＨＤＤ１１３に記録されるようになる。このとき、ＨＤＤ１１３に記録される番組データは、１２セグ番組データと、そのサイマル放送の１セグ番組データになるので、双方の番組データは同じ番組のデータとなる。そのため、番組録画装置１００では、１２セグ番組データと、同じ番組の１セグ番組データとを確実に記録してモバイル向け番組の録画を行うことができる。したがって、同じ番組の高レートの番組データと、低レートの番組データとを保持できるので、再エンコードなしに双方を使い分けることができる。
【００４３】
この場合、例えば、１セグ番組データだけをＨＤＤ１１３からメモリカード２０２に移動させ、そのメモリカード２０２を携帯端末装置２５０に装着することで、１２セグメント放送の番組と同じ番組を携帯端末装置２５０を用いて視聴することができる。
【００４４】
１２セグ番組データは１セグ番組データに比べてデータサイズが大きいため、メモリカード２０２に移動させ、携帯端末装置２５０で番組を視聴することには適さない。一方、１セグ番組データは１２セグ番組データに比べてレートが低く、番組録画装置１００のＬＣＤ１０９で番組を再生すると画質が劣化してしまうため、番組録画装置１００での番組の再生には適さない。しかし、１２セグ番組データと、１セグ番組データとを同時に記録するだけでは、同じ番組の番組データを記録できないことがある。
【００４５】
そこで、番組録画装置１００では、前述のようにしてサイマル判定を行い、サイマル放送であると判定されたときに、１２セグ番組データと、そのサイマル放送であると判定された１セグ番組データとを同時にＨＤＤ１１３に記録している。
【００４６】
一方、図３に示すフローチャートは、図２に示すフローチャートと比較して、Ｓ２とＳ３の間で、Ｓ５、Ｓ６を実行する点が異なっている。
【００４７】
ＣＰＵ１１２は、Ｓ２からＳ５に進むと、後述する録画設定画面３００をＬＣＤ１０９に表示させる。続くステップ６では、録画設定画面３００で１セグ録画有りが選択されていたか否かを判定し、選択されていたときはＳ３に進み、そうでなければＳ４に進む。そのほかのステップは図２の場合と同様である。
【００４８】
録画設定画面３００は図４に示すように、１セグ録画の有り無しを入力するための入力部３０１を有し、この入力部３０１を用いて視聴者が１セグ録画の有り無しを入力できる。図４（ａ）は１セグ録画有りの場合、図４（ｂ）は１セグ録画無しの場合である。１セグ録画有りの場合はＳ６からＳ３に進むので、サイマル放送であると判定されると、１セグ番組データと、１２セグ番組データとが同時にＨＤＤ１１３に記録される。
【００４９】
このように、図３に示すフローチャートに沿って、モバイル向け番組の同時録画処理を実行するときは、視聴者が１セグ録画の有り無しを選択でき、モバイル向け番組の同時録画が視聴者の選択した内容にしたがって実行されるようになる。
【００５０】
ところで、モバイル向け番組の同時録画処理によって記録された１２セグ番組データと、１セグ番組データとは、再生に適した装置が異なる等から、区別せずに対等に扱うと、視聴者の使い勝手を向上させることが難しい。
【００５１】
そのため、番組録画装置１００では、図５，６，７に示すフローチャートに沿った動作を実行する。番組録画装置１００では、ＣＰＵ１１２が関連付け手段としての動作を行う。そして、ＣＰＵ１１２は、１２セグ番組データをＨＤＤ１１３に記録させるための１２セグ用ファイル（固定受信機用ファイル）または１セグ番組データをＨＤＤ１１３に記録させるための１セグ用ファイル（移動受信機用ファイル）のファイル名を次のようにして生成することにより、１２セグ番組データに１セグ番組データを関連付けている。
【００５２】
そして、モバイル向け番組の同時録画の場合、１２セグ番組データおよび１セグ番組データは、ファイル名による関連付けが行われてＨＤＤ１１３に記録されている。
【００５３】
ＣＰＵ１１２は図５のフローチャートに沿って関連付け処理を開始すると、Ｓ１１に進み、１２セグ番組データを記録する１２セグ録画かどうかを判定し、１２セグ録画のときはＳ１２、そうでなければＳ１６に進む。Ｓ１２では、１２セグ用ファイルのファイル名を生成する。後述するとおり、ファイル名はファイル名本体と拡張子（ファイルの種類を識別するための文字列）からなっている。Ｓ１２では、その拡張子を１２セグメント放送固有の内容（１２セグメント放送専用の内容）で生成する。
【００５４】
次に、ＣＰＵ１１２は、Ｓ１３に動作を進めると、同時録画処理（Ｓ３）を行うか否かを判定する。ＣＰＵ１１２は、同時録画処理を行うときはＳ１４に動作を進め、そうでなければＳ１５に動作を進める。ＣＰＵ１１２は、Ｓ１４では、１２セグ番組データについて、サイマル放送の１セグ番組データが有るか無いかを管理するための管理データとして、１セグ番組データ有り（１セグ録画有り）を示すデータをＨＤＤ１１３に記録し、Ｓ１５では、管理データとして、１セグ録画無しを示すデータをＨＤＤ１１３に記録して、関連付け処理を終了する。ＣＰＵ１１２は、Ｓ１４，１５を実行するときに管理データ記録制御手段としての動作を行う。
【００５５】
一方、ＣＰＵ１１２は、Ｓ１１からＳ１６に動作を進めると、Ｓ１３と同様に、同時録画処理（Ｓ３）を行うか否かを判定する。ＣＰＵ１１２は、同時録画処理を行うときはＳ１７に動作を進め、そうでなければＳ１８に動作を進める。ＣＰＵ１１２は、Ｓ１７では、１セグ用ファイルのファイル名を生成する。この場合、ＣＰＵ１１２は対応する１２セグ用ファイルのファイル名と、ファイル名本体は等しくかつ拡張子を異ならせたファイル名を生成する。また、Ｓ１７では、拡張子を１セグメント放送固有の内容（１セグメント放送専用の内容）で生成する。
【００５６】
ＣＰＵ１１２は、Ｓ１８では、単独で録画した１セグメント放送の番組に対応したファイル名本体と１セグメント放送固有の拡張子を用いてファイル名を生成する。Ｓ１７またはＳ１８を実行すると、関連付け処理を終了する。
【００５７】
以上のようにして、関連付け処理を行うことにより、モバイル向け番組の同時録画が行われた場合、１２セグ用ファイルには、例えば図８に示すファイル名３１０が付され、１セグ用ファイルにはファイル名３２０が付される。ファイル名３１０はファイル名本体３１１と拡張子３１２とを有し、ファイル名３２０はファイル名本体３１１と拡張子３１３とを有している。
【００５８】
ファイル名３１０とファイル名３２０とは、同じファイル名本体３１１（図８では、“ｔｏｓｈｉｂ  ｐｐｐ  ０９００”）を有している。また、拡張子３１２は１２セグメント放送固有の文字列（例えば図８に示すように“ｄｔｖ”とすることができる）であり、拡張子３１３は１セグメント放送固有の文字列（例えば“ｓｅｇ”）とすることができる。
【００５９】
ファイル名３１０とファイル名３２０とは、拡張子のみが異なり、同じファイル名本体３１１を有しているため、視聴者には、１２セグ用ファイルと１セグ用ファイルとが互いに関連付けられていることが明確になる。しかも、拡張子３１２，３１３がそれぞれ１２セグメント放送または１セグメント放送固有の文字列になっているので、ファイル名によって、１２セグメント放送または１セグメント放送いずれの番組データであるのかが明らかになる。視聴者はファイル名を見るだけで、いずれの番組データであるのを判断することができる。
【００６０】
また、番組録画装置１００では、１２セグ用ファイルと１セグ用ファイルとが前述のようにして互いに関連付けられているため、１２セグ用ファイルに対する移動や削除といった操作を１セグ用ファイルに対する操作と連動させることができる。したがって、視聴者の使い勝手を向上させることができる。
【００６１】
例えば、１２セグメント放送用の後述する番組リスト３５０から、１セグメント放送用の番組リスト３６０に画面を遷移させたときに、番組リスト３５０でカーソルが当っていた番組と関連付けられている番組にカーソルを当てる。
【００６２】
また、番組リスト３５０において、番組データの移動または複製を指示してから番組リスト３６０に画面を遷移させたときに、番組リスト３５０で移動または複製を指示した番組データと関連付けられている番組データを移動または複製する。
【００６３】
さらに、番組リスト３５０で番組データの削除を指示してから番組リスト３６０に画面を遷移させたときに、番組リスト３５０で削除が指示された番組データと関連付けられている番組データを削除する。
【００６４】
番組リスト３５０において番組データのロックまたはアンロックを指示してから番組リスト３６０に画面を遷移させたときに、ロックまたはアンロックが指示された番組データと関連付けられている番組データをロックまたはアンロックする。
【００６５】
そして、番組録画装置１００は、図６のフローチャートに沿って作動することにより、番組リスト３５０を表示することができる。
【００６６】
ＣＰＵ１１２は図６のフローチャートに沿って番組リスト表示処理を開始すると、Ｓ２１に進み、ＨＤＤ１１３に記録されている番組データファイルを参照する。番組データファイルは１２セグ用ファイルまたは１セグ用ファイルが含まれている。続いて、ＣＰＵ１１２はＳ２２に進み、参照した番組データファイルのファイル名の拡張子が１２セグメント放送固有であるか否かを判定し、その場合はＳ２３、そうでなければＳ２６に動作を進める。こうして、拡張子が１セグメント放送固有の番組データファイルは番組リスト３５０に表示しないようにしている。
【００６７】
Ｓ２３では、管理データが１セグ番組データの有り無しのいずれであるかを判定する。１セグ番組データ有りの場合はＳ２４、そうでなければＳ２５に動作を進める。
【００６８】
Ｓ２４では、後述する１セグアイコン３５１ａを備えた番組明細データを生成し、Ｓ２５では、１セグアイコンのない番組明細データを生成する。Ｓ２６では、番組データファイルの読み込みが終了したか否かを判定し、終了した場合はＳ２７、そうでなければＳ２１に戻る。
【００６９】
Ｓ２７に進むと、Ｓ２４またはＳ２５で生成した番組明細データを用いて番組リスト３５０を表示して、番組リスト表示処理を終了する。番組録画装置１００はＳ１４、Ｓ１５を実行することによって管理データを記録しており、Ｓ２３ではその管理データを参照している。こうすることにより、１２セグ番組データすべてを参照する場合よりも、１セグ番組データの有り無しを簡易に判定している。
【００７０】
また、番組録画装置１００は図７のフローチャートに沿って作動することにより番組リスト３６０を表示することができる。
【００７１】
ＣＰＵ１１２は図７のフローチャートに沿って番組リスト表示処理を開始すると、Ｓ３１に進み、ＨＤＤ１１３に記録されている番組データファイルを参照する。続いて、ＣＰＵ１１２はＳ３２に進み、参照した番組データファイルのファイル名の拡張子が１セグメント放送固有であるか否かを判定し、その場合はＳ３３、そうでなければＳ３４に動作を進める。こうして、拡張子が１セグメント放送固有の番組データファイルだけを番組リスト３６０に表示するようにしている。
【００７２】
Ｓ３３では、番組明細データを生成する。Ｓ３４では、番組データファイルの読み込みが終了したか否かを判定し、終了した場合はＳ３５、そうでなければＳ３１に戻る。
【００７３】
Ｓ３５に進むと、Ｓ３３で生成した番組明細データを用いて番組リスト３６０を表示して、番組リスト表示処理を終了する。
【００７４】
そして、番組リスト３５０は１２セグメント放送の録画した番組一覧であって、例えば図９に示すように、番組明細３５１と番組明細３５２とを有している。番組明細３５１は１セグアイコン３５１ａを有している。１セグアイコン３５１ａは、同時録画処理が行われたことで、１２セグ番組データに加えてそのサイマル放送の１セグ番組データがＨＤＤ１１３に記録されていることを示している。したがって、番組明細３５１は前述のＳ３、Ｓ１４を実行して記録された１２セグ用ファイルのファイル名に対応している。また、番組明細３５２は１セグアイコンを有していないので、１２セグ番組データだけがＨＤＤ１１３に記録されている。したがって、番組明細３５２は前述のＳ４、Ｓ１５を実行して記録された１２セグ用ファイルのファイル名に対応している。
【００７５】
このように、視聴者は番組リスト３５０に表示される番組明細に１セグアイコン３５１ａがあるか否かによって、１２セグ番組データに加えて同じ番組の１セグ番組データが記録されていること、または１２セグ番組データだけが記録されていることを確認することができる。
【００７６】
番組リスト３６０は１セグメント放送の録画した番組一覧であって、図１０に示すように、番組明細３６１と番組明細３６２とを有している。このうち、番組明細３６１は番組明細３５１と番組名が同じ“スポーツニュース”になっている。したがって、視聴者は、番組リスト３６０により、１セグメント放送について、１２セグメント放送と同じ番組の録画が行われていることを確認することができる。番組明細３６１は前述のＳ３、Ｓ１４を実行して記録された１セグ用ファイルのファイル名に対応している。番組明細３６２は単独で記録された１セグ用ファイルのファイル名に対応している。
【００７７】
そして、視聴者が番組リスト３５０上の番組明細３５１または番組明細３５２にカーソルを合わせて、図１１に示すリモコン４００の再生ボタン４０１を押すことにより、ＣＰＵ１１２が対応する番組データをＨＤＤ１１３から読み出して録画した番組を再生する。
【００７８】
また、視聴者は記録されている１２セグ番組データを削除するときは、番組明細３５１，３５２のうち、削除しようとするほうにカーソルを合わせた上で、リモコン４００の削除ボタン４０２を押下する。すると、番組リスト３５０に削除確認部３５５が表示される（図１２参照）。ユーザは削除するときは“Ｙ”の欄にカーソルを合わせて決定ボタン４０３を押下する。すると、指定された１２セグ番組データが削除される。ユーザは１２セグ番組データを削除しないときは“Ｎ”の欄にカーソルを合わせて決定ボタン４０３を押下する。
【００７９】
視聴者は記録されている１２セグ番組データを他の記録媒体に移動させようとするときは、番組明細３５１，３５２のうち、移動しようとするほうにカーソルを合わせた上で、リモコン４００の移動ボタン４０４を押下する。すると、移動先指定画面３７０が表示される（図１２参照）。移動先指定画面３７０には、１２セグ番組データの移動先候補としてのＨＤＤ２０１，２０４を指定するための指定部３７１、３７２が表示されるので、ユーザは指定部３７１、３７２のいずれかにカーソルを合わせて移動先を選択することができる。ユーザが移動先を選択すると、番組リスト３５０上に図示しない移動確認部が表示される。ユーザは移動確認部で１２セグ番組データを移動するか否かを指定する。
【００８０】
また、視聴者は記録されている１セグ番組データを削除するときは、番組明細３６１，３６２のうち、削除しようとするほうにカーソルを合わせた上で、リモコン４００の削除ボタン４０２を押下する。すると、番組リスト３６０に削除確認部３５５が表示される（図１２参照）。ユーザは削除するときは“Ｙ”の欄にカーソルを合わせて決定ボタン４０３を押下し、削除しないときは“Ｎ”の欄にカーソルを合わせて決定ボタン４０３を押下する。
【００８１】
視聴者は記録されている１セグ番組データを他の記録媒体に移動させようとするときは、番組明細３６１，３６２のうち、移動しようとするほうにカーソルを合わせた上で、リモコン４００の移動ボタン４０４を押下する。すると、移動先指定画面３８０が表示される。移動先指定画面３８０には、１セグ番組データの移動先候補としてのメモリカード２０２を指定するための指定部３８１が表示される。ユーザは１セグ番組データの移動先として、メモリカード２０２を選択することができる。
【００８２】
図１２には、番組録画装置１００に表示される操作画面間の遷移の様子が示されている。番組録画装置１００に表示される操作画面は前述のほか、番組リスト３５０，番組リスト３６０の間でも行われる。
【００８３】
さらに、図１３に示すように、メニュー画面３９０を表示したうえで、録画リストボタン３９１を選択すると、リスト選択画面３９２が表示される。このリスト選択画面３９２で１２セグ番組用、１セグ番組用のいずれかを選択して、番組リスト３５０か番組リスト３６０を表示させることができる。
【００８４】
そして、番組録画装置１００には、番組データの自動削除機能が備えられている。これは、記録されている番組データのデータボリュームがデータ削除用の閾値を超えたときに記録されている番組データを自動的に削除するものである。この番組データの自動削除機能は、ＣＰＵ１１２が削除制御手段としての動作を行うことにより実現される。ＣＰＵ１１２は、ＨＤＤ１１３に記録されている番組データのデータボリュームがデータ削除用の閾値を超えると、記録されている番組データのデータボリュームがデータ削除用の閾値を下回るまで録画日時の古い番組データから順に削除する。
【００８５】
関連付けられている１２セグ番組データと１セグ番組データがあるときは、録画日時（録画日および記録開始時刻）が同じになるが、この場合は、１２セグ番組データを１セグ番組データよりも優先して削除する。１２セグ番組データは１セグ番組データよりもデータボリュームが多いので、より多くの空きスペースをＨＤＤ１１３に確保することができる。したがって、例えば、ＨＤＤ１１３に記録されている番組データが図１５に示すようになっているときは図１５に示す[1],[2],[3],[4]の順番で番組データが削除される。ＨＤＤ１１３には、３月１日の１２セグ番組データ、３月２日の１セグ番組データ、３月３日の１２セグ番組データおよび１セグ番組データが記録され、３月３日の１２セグ番組データと１セグ番組データとは関連付けられ、録画日時が同じなので、１２セグ番組データが優先して削除される。
【００８６】
なお、以上の実施の形態では、地上デジタル放送の番組の映像を表示する映像表示手段と、その番組の録画を行う番組録画制御手段とを備えた録画機能付のテレビジョンを例にとって説明している。ただし、本発明は、映像表示手段を備えないＤＶＤレコーダ、ＨＤＤレコーダなどの番組録画装置についても適用することができる。
【００８７】
また、以上の実施の形態における番組録画装置１００は、１セグメント放送の番組を受信する受信手段と、１２セグメント放送の番組を受信する受信手段とを備えている。受信手段は、移動体受信機向け放送または固定受信機向け放送を受信することができればよく、１セグメント放送および１２セグメント放送とは別方式の放送を受信する受信手段を備えてもよい。例えば、１つのチャンネルの周波数帯域をセグメントに分けることなく行われる移動体受信機向け放送と固定受信機向け放送とを受信する受信手段でもよい。
【００８８】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００８９】
【図１】本発明の実施の形態に係る番組録画装置の構成を示すブロック図である。
【図２】モバイル向け番組の同時録画処理の動作手順を示すフローチャートである。
【図３】別のモバイル向け番組の同時録画処理の動作手順を示すフローチャートである。
【図４】録画設定画面を示す図で、（ａ）はワンセグ録画あり、（ｂ）はワンセグ録画無しを示す図である。
【図５】関連付け処理の動作手順を示すフローチャートである。
【図６】番組リスト表示処理の動作手順を示すフローチャートである。
【図７】別の番組リスト表示処理の動作手順を示すフローチャートである。
【図８】ファイル名の一例を示す図である。
【図９】１２セグメント放送用の番組リストの一例を示す図である。
【図１０】１セグメント放送用の番組リストの一例を示す図である。
【図１１】リモートコントローラの一例を示す図である。
【図１２】画面遷移の一例を示す図である。
【図１３】別の画面遷移の一例を示す図である。
【図１４】ＥＰＧデータを用いてＬＣＤパネルに表示される電子番組表の一例を示す図である。
【図１５】記録されている番組データの一例を示す図である。
【符号の説明】
【００９０】
１００…番組録画装置、１０１…第１のデジタルチューナ、１０２…第２のデジタルチューナ、１０９…ＬＣＤパネル、１１３，２０１，２０４…ＨＤＤ、２５０…携帯端末装置、３００…録画設定画面。
【図１】
2009246443.tif 000003
【図２】
2009246443.tif 000004
【図３】
2009246443.tif 000005
【図４】
2009246443.tif 000006
【図５】
2009246443.tif 000007
【図６】
2009246443.tif 000008
【図７】
2009246443.tif 000009
【図８】
2009246443.tif 000010
【図９】
2009246443.tif 000011
【図１０】
2009246443.tif 000012
【図１１】
2009246443.tif 000013
【図１２】
2009246443.tif 000014
【図１３】
2009246443.tif 000015
【図１４】
2009246443.tif 000016
【図１５】
2009246443.tif 000017
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
地上デジタル放送で送信される移動体受信機を対象とする移動体受信機向け放送が固定受信機を対象とする固定受信機向け放送のサイマル放送であるか否かの判定を行う判定手段と、
前記判定手段によって、前記移動体受信機向け放送が前記固定受信機向け放送のサイマル放送であると判定されたときに、前記移動体受信機向け放送の番組データの、前記固定受信機向け放送の番組データへの関連付けを行う関連付け手段と、
前記関連付け手段によって関連付けられた前記固定受信機向け放送の番組データと前記移動体受信機向け放送の番組データとを、番組データを記録する記録手段に記録させる番組録画制御手段とを有し、
前記関連付け手段は、前記固定受信機向け放送の番組データを前記記録手段に記録させるための固定受信機用ファイルと、前記移動体受信機向け放送の番組データを前記記録手段に記録させるための移動受信機用ファイルとに対して、共通のファイル名本体とファイルの種類を識別するための識別用文字列である異なる拡張子とを備えたファイル名を付すことによって前記関連付けを行うことを特徴とする番組録画装置。
【請求項２】
前記番組録画制御手段は、前記判定手段によって前記移動体受信機向け放送が前記固定受信機向け放送のサイマル放送ではないと判定されたときは、前記固定受信機向け放送の番組データだけを前記記録手段に記録させることを特徴とする請求項１記載の番組録画装置。
【請求項３】
前記関連付け手段は、前記固定受信機用ファイルの前記拡張子を前記固定受信機向け放送固有の文字列とし、前記移動受信機用ファイルの前記拡張子を前記移動体受信機向け放送固有の文字列とすることを特徴とする請求項１記載の番組録画装置。
【請求項４】
前記関連付け手段によって関連付けられた前記移動体受信機向け放送の番組データが記録されているか否かを示す管理データを前記記録手段に記録させる管理データ記録制御手段を更に有する請求項３記載の番組録画装置。
【請求項５】
前記固定受信機向け放送の番組の映像を表示する映像表示手段を更に有する請求項１記載の番組録画装置。
【請求項６】
前記移動体受信機向け放送の番組データよりも前記固定受信機向け放送の番組データを優先して削除させる削除制御手段を更に有する請求項１記載の番組録画装置。
【請求項７】
前記判定手段は、１つのチャンネルを複数のセグメントに分割したうちの前記セグメントの１つを用いる１セグメント放送が、前記複数のセグメントのうちの１２セグメントを用いる１２セグメント放送のサイマル放送であるか否かの判定を行うことを特徴とする請求項１記載の番組録画装置。
【手続補正２】
【補正対象書類名】明細書
【補正対象項目名】０００７
【補正方法】変更
【補正の内容】
【０００７】
上記課題を解決するため、本発明は、地上デジタル放送で送信される移動体受信機を対象とする移動体受信機向け放送が固定受信機を対象とする固定受信機向け放送のサイマル放送であるか否かの判定を行う判定手段と、判定手段によって、移動体受信機向け放送が固定受信機向け放送のサイマル放送であると判定されたときに、前記移動体受信機向け放送の番組データの、前記固定受信機向け放送の番組データへの関連付けを行う関連付け手段と、前記関連付け手段によって関連付けられた固定受信機向け放送の番組データと移動体受信機向け放送の番組データとを、番組データを記録する記録手段に記録させる番組録画制御手段とを有し、前記関連付け手段は、前記固定受信機向け放送の番組データを前記記録手段に記録させるための固定受信機用ファイルと、前記移動体受信機向け放送の番組データを前記記録手段に記録させるための移動受信機用ファイルとに対して、共通のファイル名本体とファイルの種類を識別するための識別用文字列である異なる拡張子とを備えたファイル名を付すことによって前記関連付けを行う番組録画装置を特徴とする。